【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
動画像データにおける複数のイントラピクチャに関して、各イントラピクチャの時間情報及び各イントラピクチャの位置情報を含む管理情報に基づいて、前記動画像データを再生して表示部に表示する再生装置であって、
前記時間情報及び位置情報から２つのイントラピクチャの間の時間間隔及び位置間隔の情報を取得して、前記２つのイントラピクチャの間のビットレートを判定する判定手段と、
前記判定手段によって判定されたビットレートに係わる情報を前記表示部に表示する表示制御手段とを有することを特徴とする再生装置。
【請求項２】
前記表示制御手段は、前記判定手段によって判定されたビットレートの情報を前記表示部に表示することを特徴とする請求項１に記載の再生装置。
【請求項３】
前記判定手段は、２つのイントラピクチャの間のビットレートを判定することをイントラピクチャの組み合わせを変えて複数回行い、
前記表示制御手段は、前記判定手段によって判定された複数のビットレートのうち、最も大きいビットレートの情報を前記表示部に表示することを特徴とする請求項１に記載の再生装置。
【請求項４】
前記判定手段は、２つのイントラピクチャの間のビットレートを判定することをイントラピクチャの組み合わせを変えて複数回行い、
前記表示制御手段は、前記判定手段によって判定された複数のビットレートのうち、最も大きいビットレートに対応する記録モードの情報を前記表示部に表示することを特徴とする請求項１に記載の再生装置。
【請求項５】
前記動画像データにビットレート情報または記録モード情報が多重化されているか否かを検出する検出手段を有し、
前記表示制御手段は、前記検出手段による検出の結果、ビットレート情報または記録モード情報が多重化されている場合は、前記多重化されたビットレート情報または記録モード情報を前記表示部に表示することを特徴とする請求項１に記載の再生装置。
【請求項６】
前記表示制御手段は、前記多重化されたビットレート情報または記録モード情報を表示する場合と、前記判定手段によって判定されたビットレート情報または前記判定されたビットレートに対応する記録モード情報を表示する場合とで、表示形式を変更することを特徴とする請求項５に記載の再生装置。
【請求項７】
前記動画像データを代表する代表画像データを生成する生成手段をさらに有し、
前記表示制御手段は、前記生成手段によって生成された代表画像データを用いて形成されるインデックス表示上で、前記ビットレート情報、または前記記録モード情報を表示することを特徴とする請求項５又は６に記載の再生装置。
【請求項８】
動画像データにおける複数のイントラピクチャに関して、各イントラピクチャの時間情報及び各イントラピクチャの位置情報を含む管理情報に基づいて、前記動画像データを再生して表示部に表示する再生装置の制御方法であって、
前記時間情報及び位置情報から２つのイントラピクチャの間の時間間隔及び位置間隔の情報を取得して、前記２つのイントラピクチャの間のビットレートを判定する判定工程と、
前記判定工程において判定したビットレートに係わる情報を前記表示部に表示する表示制御工程とを有することを特徴とする再生装置の制御方法。
【請求項９】
動画像データにおける複数のイントラピクチャに関して、各イントラピクチャの時間情報及び各イントラピクチャの位置情報を含む管理情報に基づいて、前記動画像データを再生して表示部に表示する再生装置の制御方法の各工程をコンピュータに実行させるプログラムであって、
前記時間情報及び位置情報から２つのイントラピクチャの間の時間間隔及び位置間隔の情報を取得して、前記２つのイントラピクチャの間のビットレートを判定する判定工程と、
前記判定工程において判定したビットレートに係わる情報を前記表示部に表示する表示制御工程とをコンピュータに実行させることを特徴とするプログラム。
【請求項１０】
請求項９に記載のプログラムを記憶したことを特徴とするコンピュータ読み取り可能な記憶媒体。
【手続補正２】
【補正対象書類名】明細書
【補正対象項目名】０００６
【補正方法】変更
【補正の内容】
【０００６】
本発明の再生装置は、動画像データにおける複数のイントラピクチャに関して、各イントラピクチャの時間情報及び各イントラピクチャの位置情報を含む管理情報に基づいて、前記動画像データを再生して表示部に表示する再生装置であって、前記時間情報及び位置情報から２つのイントラピクチャの間の時間間隔及び位置間隔の情報を取得して、前記２つのイントラピクチャの間のビットレートを判定する判定手段と、前記判定手段によって判定されたビットレートに係わる情報を前記表示部に表示する表示制御手段とを有することを特徴とする。
【手続補正３】
【補正対象書類名】明細書
【補正対象項目名】０００７
【補正方法】変更
【補正の内容】
【０００７】
本発明の再生装置の制御方法は、動画像データにおける複数のイントラピクチャに関して、各イントラピクチャの時間情報及び各イントラピクチャの位置情報を含む管理情報に基づいて、前記動画像データを再生して表示部に表示する再生装置の制御方法であって、前記時間情報及び位置情報から２つのイントラピクチャの間の時間間隔及び位置間隔の情報を取得して、前記２つのイントラピクチャの間のビットレートを判定する判定工程と、前記判定工程において判定したビットレートに係わる情報を前記表示部に表示する表示制御工程とを有することを特徴とする。
【手続補正４】
【補正対象書類名】明細書
【補正対象項目名】０００８
【補正方法】変更
【補正の内容】
【０００８】
本発明のプログラムは、動画像データにおける複数のイントラピクチャに関して、各イントラピクチャの時間情報及び各イントラピクチャの位置情報を含む管理情報に基づいて、前記動画像データを再生して表示部に表示する再生装置の制御方法の各工程をコンピュータに実行させるプログラムであって、前記時間情報及び位置情報から２つのイントラピクチャの間の時間間隔及び位置間隔の情報を取得して、前記２つのイントラピクチャの間のビットレートを判定する判定工程と、前記判定工程において判定したビットレートに係わる情報を前記表示部に表示する表示制御工程とをコンピュータに実行させることを特徴とする。
【手続補正５】
【補正対象書類名】明細書
【補正対象項目名】００２７
【補正方法】変更
【補正の内容】
【００２７】
次に、ステップＳ９０９において、他にもまだ再生されていない再生リスト１２１に登録された動画像データがあるか否かを判断する。この判断の結果、まだ再生されていない動画像データがある場合は、ステップＳ９０２に戻る。図１に示す例では、動画像データ（０）の再生が終了した後に、次の動画像データ（１）の処理を行うため、ステップＳ９０２に戻る。一方、ステップＳ９０９の判断の結果、全ての動画像データの再生が終了した場合は、処理を終了する。
【手続補正６】
【補正対象書類名】明細書
【補正対象項目名】００４２
【補正方法】変更
【補正の内容】
【００４２】
図６は、本実施形態における最大ビットレートとＯＳＤで表示される記録モードとの関係の一例を示す図である。
図６において、「MaxBitRate」の取得結果が、１２Mbps以上であれば、該当する記録モードとなる「ＸＰ」を当該ストリームの表示期間にＯＳＤで表示する。同様に５Mbps以上１２Mbps未満の場合は「ＳＰ」をＯＳＤで表示し、５Mbps未満であれば「ＬＰ」をＯＳＤで表示する。
【手続補正７】
【補正対象書類名】明細書
【補正対象項目名】００４５
【補正方法】変更
【補正の内容】
【００４５】
ストリームファイル（動画像データ）へ記録ビットレートを付与する方法としては、以下のような方法で付与する。例えば、Ｈ．２６４／ＭＰＥＧ４−ＡＶＣ方式において、動画像データの「SEI＿message（）」内の「User＿data＿unregistered（）」にビットレートの格納を示す識別子と、ビットレート［Mbps］とを格納するものとする。
【手続補正８】
【補正対象書類名】明細書
【補正対象項目名】００５２
【補正方法】変更
【補正の内容】
【００５２】
ストリームファイル（動画像データ）へ記録モードを付与する方法としては、以下のような方法で付与する。例えば、Ｈ．２６４／ＭＰＥＧ４−ＡＶＣ方式において、「SEI＿message（）」内の「User＿data＿unregistered（）」に記録モードの格納を示す識別子と記録モード情報［ＸＰ／ＳＰ／ＬＰ］とを格納するものとする。
【手続補正９】
【補正対象書類名】明細書
【補正対象項目名】００５３
【補正方法】変更
【補正の内容】
【００５３】
次に、記録モード情報の取得及び表示について説明する。図８は、本実施形態において、記録モード情報の取得及び表示を行うための処理手順の一例を示すフローチャートである。なお、図８に示す各処理は、プロセッサ２０８の制御により行われる。
【手続補正１０】
【補正対象書類名】明細書
【補正対象項目名】００５９
【補正方法】変更
【補正の内容】
【００５９】
ストリームファイル（動画像データ）へ記録ビットレートを付与する方法としては、以下のような方法で付与する。例えば、Ｈ．２６４／ＭＰＥＧ４−ＡＶＣ方式において、動画像データの「SEI＿message（）」内の「User＿data＿unregistered（）」にビットレートの格納を示す識別子と、ビットレート［Mbps］とを格納するものとする。
【手続補正１１】
【補正対象書類名】明細書
【補正対象項目名】００６７
【補正方法】変更
【補正の内容】
【００６７】
ストリームファイル（動画像データ）へ記録モードを付与する方法としては、以下のような方法で付与する。例えば、Ｈ．２６４／ＭＰＥＧ４−ＡＶＣ方式において、「SEI＿message（）」内の「User＿data＿unregistered（）」に記録モードの格納を示す識別子と記録モード情報［ＸＰ／ＳＰ／ＬＰ］とを格納するものとする。
【手続補正１２】
【補正対象書類名】明細書
【補正対象項目名】００６９
【補正方法】変更
【補正の内容】
【００６９】
図１１は、本実施形態において、記録モード情報の取得及び表示を行うための処理手順の一例を示すフローチャートである。なお、図１１に示す各処理は、プロセッサ２０８の制御により行われる。
まず、ステップＳ１１０１において処理が開始されると、ステップＳ１１０２において、プロセッサ２０８は検出手段として機能し、「User＿data＿unregistered（）」内に識別子があるか否かを確認する。この確認の結果、識別子がある場合は、ステップＳ１１０３に進む。そして、ステップＳ１１０３において、「User＿data＿unregistered（）」に格納されているストリームの記録モード情報［ＸＰ／ＳＰ／ＬＰ］を取得し、ＯＳＤ制御部２００に送る。次に、ステップＳ１１０４において、ＯＳＤ制御部２００は、記録モードを表示する色を黒に決定する。